(57)【要約】【課題】新たなロッカーユニットを設置する際、新たなロッカーユニットを管理装置で制御することができないことを防止するとともに、煩雑な作業を必要としないロッカーシステムを提供する。【解決手段】ロッカーシステムは、荷物を収容する荷物収容空間を有したロッカー装置１３、およびロッカー装置の個別制御を行う端末装置３０を備えたロッカーユニット１０と、端末装置を介してロッカー装置の集中制御を行う管理装置４０とを備えている。管理装置４０は、管理装置が集中制御を行うためのプログラムのバージョンと端末装置が個別制御を行うためのプログラムのバージョンとが異なる場合、管理装置のプログラムのバージョンに合致するように端末装置のプログラムを書き換えるバージョン管理部５０を備えている。【選択図】        図２
2008134693.tif 000002
【特許請求の範囲】
【請求項１】
荷物を収容する収容部を有したロッカー装置、および前記ロッカー装置の個別制御を行う端末装置を備えたロッカーユニットと、
前記端末装置を介して前記ロッカー装置の集中制御を行う管理装置と
を備えて成るロッカーシステムにおいて、
前記管理装置が集中制御を行うためのプログラムのバージョンと前記端末装置が個別制御を行うためのプログラムのバージョンとが異なる場合、前記管理装置のプログラムのバージョンに合致するように前記端末装置のプログラムを書き換えるバージョン管理部を前記管理装置が備えることを特徴とするロッカーシステム。
【発明の詳細な説明】
【技術分野】
【０００１】
本発明は、貸しロッカーシステム、一時預かりボックスシステム等の各種ロッカーシステムに好適なロッカーシステムに関するものである。
【背景技術】
【０００２】
ロッカーシステムは、例えば複数のロッカーユニットと管理装置とで構成されている。
【０００３】
各ロッカーユニットには、キャビネット部と扉部とで構成され、それらキャビネット部と扉部とによって画成された荷物収容空間（収容部）を有するロッカー装置が複数、配設されている。各ロッカー装置は、上記荷物収容空間に荷物をそれぞれ収容するものである。また、各ロッカー装置には、荷物検知手段等の状態検知手段が配設されている。荷物検知手段は、荷物収容空間に荷物を収容しているか否かを検知するものである。
【０００４】
各ロッカー装置において、キャビネット部と扉部との間には、扉ロック手段が配設されている。この扉ロック手段は、施錠状態と解錠状態とに変位可能に構成されており、施錠状態に変位させた場合、キャビネット部に対して扉部が閉状態に保持され、解錠状態に変位させた場合、キャビネット部に対して扉部を開くことが許容された状態となる。また、上記扉ロック手段には、例えばソレノイド等の駆動手段が配設されている。駆動手段は、駆動により扉ロック手段を施錠状態と解錠状態とに変位させるものである。
【０００５】
またロッカーユニットには、端末記憶手段を有する端末装置が配設されている。この端末記憶手段にはプログラムが格納してあり、各種指令が与えられた端末装置は、上記プログラムを実行することで、上記各種の指令に応じて任意のロッカー装置の個別制御を行うものである。例えば、ロッカー装置の扉ロック手段を施錠状態から解錠状態に変位させる旨の解錠指令（状態変位指令）が与えられた場合、端末装置は上記プログラムを実行することで、その解錠指令に応じて扉ロック手段を施錠状態から解錠状態に変位させる。
【０００６】
管理装置は、操作表示手段（入力手段）と主記憶手段と主制御手段とを備えている。操作表示手段は、例えばタッチパネル付き液晶表示器によって構成してあり、主制御手段からの指令に基づいて液晶表示器に映像を表示し、かつ利用者が映像内容に基づいてタッチパネルを押圧操作した場合には、その操作内容を主制御手段に入力するものである。主記憶手段にはプログラムが格納してあり、例えば操作入力手段を利用者が操作することによって、操作表示手段を通じて命令が与えられた場合、主制御手段は上記プログラムを実行することで、上記命令に応じた各種の指令を端末装置に送信するものである。すなわち、この管理装置は、各種指令を全ての端末装置に送信することが可能であり、全てのロッカー装置の集中制御を行うものである。例えば、あるロッカー装置を使用する旨の命令が操作表示手段を通じて与えられた場合、主制御手段は上記プログラムを実行することで、その命令に応じて扉ロック手段に対する解錠指令（状態変位指令）を端末装置に送信する。
【０００７】
上記構成を有するロッカーシステムにおいては、各ロッカー装置の扉ロック手段が、常に、施錠状態に成っている。そして、利用者が操作表示手段によってあるロッカー装置を選択した場合、管理装置は、その選択したロッカー装置のみを施錠状態から解錠状態に変位させる旨の解錠指令を、そのロッカー装置を備えるロッカーユニットの端末装置に送信する。
【０００８】
解錠指令を受信した端末装置は、対応するロッカー装置の扉ロック手段を施錠状態から解錠状態に変位させる。このように扉ロック手段が解錠状態に変位すれば、ロッカー装置に荷物を収容することが可能となる。その後、例えば利用者の操作によって管理装置に暗証番号が入力された場合、管理装置は、選択したロッカーのみを解錠状態から施錠状態に変位させる旨の施錠指令（状態変位指令）を、そのロッカー装置を備えるロッカーユニットの端末装置に送信する。
【０００９】
施錠指令を受信した端末装置は、対応するロッカー装置の扉ロック手段を解錠状態から施錠状態に変位させる。
【発明の開示】
【発明が解決しようとする課題】
【００１０】
ところで、このようなロッカーシステムにおいて、例えば駅構内の改装によって新たなスペースが発生した場合、上記管理装置に新たなロッカーユニットを増設する場合がある。また、既設のロッカーユニットが損傷した場合、その損傷したロッカーユニットを新たなロッカーユニットに交換する場合がある。
【００１１】
この新たなロッカーユニットを上記管理装置に組み合わせた場合には、新たなロッカーユニットが備える端末装置のプログラムのバージョンと、管理装置のプログラムのバージョンとが異なる場合がある。このような場合には、新たなロッカーユニットの扉ロック手段の状態を管理装置の状態変位指令に基づいて変位させることができない虞れがある。
【００１２】
こうした問題が発生することを防止するため、従来、ロッカーシステムの設置場所で、管理装置のプログラムのバージョンと、新たなロッカーユニットの端末装置のプログラムのバージョンとを作業者がそれぞれ調査していた。そして、その調査により両者のプログラムのバージョンが異なる場合、作業者は、両者が合致するようにプログラムの書き換えを行っていた。
【００１３】
しかしながら、上記プログラムの調査および書き換えには手間がかかり、また間違える可能性があった。
【００１４】
本発明の目的は、上記実情に鑑みて、新たなロッカーユニットを設置する際、新たなロッカーユニットを管理装置で制御することができないことを防止するとともに、煩雑な作業を必要としないロッカーシステムを提供することにある。
【課題を解決するための手段】
【００１５】
上記の目的を達成するために、請求項１に係る発明は、荷物を収容する収容部を有したロッカー装置、および前記ロッカー装置の個別制御を行う端末装置を備えたロッカーユニットと、前記端末装置を介して前記ロッカー装置の集中制御を行う管理装置とを備えて成るロッカーシステムにおいて、前記管理装置が集中制御を行うためのプログラムのバージョンと前記端末装置が個別制御を行うためのプログラムのバージョンとが異なる場合、前記管理装置のプログラムのバージョンに合致するように前記端末装置のプログラムを書き換えるバージョン管理部を前記管理装置が備えることを特徴とする。
【発明の効果】
【００１６】
本発明に係るロッカーシステムによれば、管理装置が集中制御を行うためのプログラムのバージョンと端末装置が個別制御を行うためのプログラムのバージョンとが異なる場合、管理装置のプログラムのバージョンに合致するように端末装置のプログラムを書き換えるバージョン管理部を管理装置が備えるため、新たなロッカーユニットを設置する際、新たなロッカーユニットの端末装置のプログラムのバージョンと、管理装置のプログラムのバージョンとが異なることに起因して、新たなロッカーユニットのロッカー装置を管理装置で制御することができない事態を招くことがない。しかも、管理装置のプログラムのバージョンと端末装置のプログラムのバージョンとが異なることも無いため、ロッカーシステムの設置場所において、作業者がプログラムのバージョンを確認する必要もない。
【発明を実施するための最良の形態】
【００１７】
以下に添付図面を参照して、本発明に係るロッカーシステムの好適な実施の形態を詳細に説明する。
【００１８】
図１は、本発明に係る電子制御式多目的ロッカーシステム（ロッカーシステム）の正面図であり、図２は、そのロッカーシステムの構成を示す説明図である。
【００１９】
図１および図２に示すように、ロッカーシステムは、例えば複数（この実施形態では４つ）のロッカーユニット１０と管理装置４０とで構成してある。
【００２０】
ロッカーユニット１０は、管理装置４０の左右方向の両側に並設してある（この実施の形態では、図１中、管理装置４０の左方向に１つ並設してあり、且つ管理装置４０の右方向に３つ並設してある）。
【００２１】
各ロッカーユニット１０には、図３に示すようにキャビネット部１１と扉部１２とで構成したロッカー装置１３を上下方向に沿って複数並設してある。
【００２２】
キャビネット部１１は、複数の板材を組み合わせることによって前面が開口した箱状に構成したものである。
【００２３】
扉部１２は、キャビネット部１１の開口１１ａを覆うものであり、自身の一側縁部を介してキャビネット部１１の一側縁部にヒンジ結合してあり、キャビネット部１１の開口１１ａを開閉することが可能である。これらキャビネット部１１と扉部１２とで、荷物を収容する荷物収容空間（収容部）１３ｓが画成されている。
【００２４】
この実施の形態で示すロッカーシステムは、収容する荷物の大きさに応じて選択できるように大きさの異なる複数のロッカー装置１３を有している。より具体的には、左右方向の大きさが同一であり、上下方向の大きさが異なる複数のロッカー装置１３を有している。
【００２５】
各ロッカー装置１３において、キャビネット部１１と扉部１２との間には、扉ロック手段１５を配設してある。扉ロック手段１５は、例えば扉部１２に配設したストライカ１６と、キャビネット部１１に配設したラッチ１７、不図示のラチェット、および図４に示すソレノイド等の駆動手段１８とで構成してあり、キャビネット部１１に対して扉部１２を閉じた場合に、ラッチ１７によってストライカ１６を噛合し、かつラチェットによってラッチ１７とストライカ１６との噛合状態を保持することにより、キャビネット部１１に対して扉部１２を閉状態に保持（以下、「施錠状態」と略す）するものである。この扉ロック手段１５において、後述する端末制御手段３２の解錠指令（状態変位指令）に基づき、駆動手段１８を駆動してラチェットを回動させた場合には、ラチェットによるラッチ１７とストライカ１６との噛合状態の保持を解除し、ラッチ１７によるストライカ１６の噛合を開放することによって、キャビネット部１１に対する扉部１２の閉状態の保持を解除し、キャビネット部１１に対して扉部１２を開くことが許容されること（以下、「解錠状態」と略す）となる。
【００２６】
また、各ロッカー装置１３は、上記駆動手段１８の他に、ロック検知手段２０と、開閉検知手段２１と、表示手段２２と、荷物検知手段２３とを備えている。
【００２７】
ロック検知手段２０は、上記扉ロック手段１５が施錠状態であるか解錠状態であるかを検知するものである。
【００２８】
開閉検知手段２１は、図３に示すように、例えばキャビネット部１１に配設してあり、キャビネット部１１に対して扉部１２が開いているのか閉じているのかを検知するものである。
【００２９】
表示手段２２は、互いに発光色の異なる複数（この実施形態では２つ）の光源２２ａ，２２ｂによって構成してあり、光源２２ａ，２２ｂの発光色の相違によって上記扉ロック手段１５の状態を表示するものである。より具体的には、緑の発光色の第１光源２２ａと、赤の発光色の第２光源２２ｂとによって構成してあり、第１光源２２ａを発光させることで扉ロック手段１５が解錠状態であることを表示し、かつ第２光源２２ｂを発光させることで扉ロック手段１５が施錠状態であることを表示するものである。なお、キャビネット部１１に対して扉部１２を閉めた場合でもロッカーユニット１０の前面から上記表示手段２２の表示内容が視認できるよう、扉部１２において、上記表示手段２２に対向する部位には光透過性樹脂で形成した光透過部２２ｃが配設してある。
【００３０】
荷物検知手段２３は、例えば重量センサ、または発光手段と受光手段とで構成させる光センサであって、荷物収容空間１３ｓに荷物が収容されているか否かを検知するものである。
【００３１】
これら各ロッカー装置１３にそれぞれ配設された駆動手段１８、ロック検知手段２０、開閉検知手段２１、表示手段２２、および荷物検知手段２３は、ロッカーユニット１０に唯一配設された図２に示す端末装置３０によって個別制御されている。
【００３２】
端末装置３０は、図５に示すように、通信インターフェース３１と、端末記憶手段３３と、端末制御手段３２とを備えている。
【００３３】
通信インターフェース３１は、上記管理装置４０から送信される各種指令を受信し、かつ管理装置４０に送信する各種報告を送信するための機器である。
【００３４】
端末記憶手段３３は、各種データ、および端末装置３０を動作させるためのプログラムを格納するものである。この端末記憶手段３３には、上記プログラムのバージョンを格納してある。また、この端末記憶手段３３には、端末装置３０が制御を行うロッカー装置１３のＩＤ（ｉｄｅｎｔｉｆｉｃａｔｉｏｎ）情報（識別情報）がそれぞれ格納されている。
【００３５】
端末制御手段３２は、通信インターフェース３１と、端末記憶手段３３と、複数のロッカー装置１３とを統括的に制御するものであって、通信インターフェース３１を介して各種指令が与えられた場合、上記プログラムを実行することにより指令に応じてロッカー装置１３の各手段１８，２０，２１，２２，２３の個別制御を行うものである。具体的には、端末制御手段３２は、通信インターフェース３１を介して解錠指令が与えられた場合、上記プログラムを実行することにより解錠指令に応じて扉ロック手段１５を施錠状態から解錠状態に変位させ、通信インターフェース３１を介して施錠指令が与えられた場合、上記プログラムを実行することにより施錠指令に応じて扉ロック手段１５を解錠状態から施錠状態に変位させるものである。また、端末制御手段３２は、通信インターフェース３１を介して各種検知指令が送信された場合、上記プログラムを実行することにより検知指令に応じて検知手段２０，２１，２３で検知を行わせ、その検知報告を通信インターフェース３１を介して管理装置４０に送信させるものである。
【００３６】
管理装置４０は、図１に示すように、硬貨処理装置４１と、操作表示手段（入力手段）４２とを備えており、且つ図２に示すように、通信インターフェース４５と、主記憶手段４６と、主制御手段４７とを備えている。
【００３７】
硬貨処理装置４１は、図１に示す管理装置４０の前面側に形成された硬貨投入口４１ａおよび硬貨返却口４１ｂを有しており、硬貨投入口４１ａに投入された硬貨が正規なものであるか否かを識別し、正規なものとして識別した硬貨を取り込む一方、損傷や偽造等の理由により正規なものとして識別できなかった硬貨を、硬貨返却口４１ｂに返却するものである。
【００３８】
操作表示手段４２は、例えばタッチパネル付き液晶表示器等のマンマシンインターフェースであって、利用可能なロッカー装置１３の表示等、主制御手段４７からの表示指令に応じて液晶表示器に表示を行い、かつその表示内容に基づいて利用者がタッチパネルを押圧操作した場合、その操作内容を主制御手段４７に入力するものである。すなわち、この操作表示手段４２を通じて、ロッカーシステムに対する命令が利用者から与えられた場合、その命令が管理装置４０に与えられることとなる。
【００３９】
通信インターフェース４５は、上記端末装置３０に各種指令を送信し、かつ端末装置３０から送信される各種報告を受信するための機器である。
【００４０】
主記憶手段４６は、各種データ、および管理装置４０を動作させるためのプログラムを格納するものである。この主記憶手段４６には、上記プログラムのバージョンを格納してある。この主記憶手段４６に格納してあるプログラムは、主制御手段４７を動作させる部分と、端末制御手段３２を動作させる部分とを含んでいる。
【００４１】
主制御手段４７は、硬貨処理装置４１と、操作表示手段４２と、通信インターフェース４５と、主記憶手段４６とを統括的に制御するものであって、例えば操作表示手段４２を通じて命令が与えられた場合、上記プログラムに従って動作し、その命令に応じた指令を端末装置３０に送信するものである。より具体的には、主制御手段４７は、操作表示手段４２を通じてロッカー装置１３を利用する旨の命令が与えられた場合、上記プログラムに従って動作し、その旨の命令に応じて荷物検知手段２３に荷物検知指令を端末装置３０に送信するものである。また、主制御手段４７は、操作表示手段４２を通じて利用するロッカー装置１３を選択した旨の命令が与えられた場合、上記プログラムに従って動作し、その旨の命令に応じて扉ロック手段１５に対する解錠指令を端末装置３０に送信するものである。さらに、主制御手段４７は、例えば後述するように利用者が携帯する携帯電話を介して管理装置４０に電話が掛けられ、暗証番号を入力した旨の命令が与えられた場合、上記プログラムに従って動作し、その旨の命令に応じて扉ロック手段１５に対する施錠指令を端末装置３０に送信するものである。このような主制御手段４７を備える管理装置４０は、上記各種指令を全ての端末装置３０に送信することが可能であり、全てのロッカー装置１３の集中制御を行うものである。また、この主制御手段４７は、バージョン管理部５０を備えている。
【００４２】
バージョン管理部５０は、後述するように、管理装置４０が集中制御を行うためのプログラムのバージョンと、端末装置３０が個別制御を行うためのプログラムのバージョンとが異なるか否かを判断し、両者のプログラムのバージョンが異なる場合、管理装置４０のプログラムのバージョンに合致するように端末装置３０のプログラムを書き換えるものである。バージョン管理部５０が端末装置３０のプログラムを書き換える場合には、管理装置４０の主記憶手段４６に格納してあるプログラムにおいて、端末制御手段３２を動作させる部分を使用する。
【００４３】
次に、上記ロッカーシステムにおけるロッカーの利用方法の一例を説明する。なお、ここでは、荷物を収容しているロッカー装置１３は、当該ロッカー装置１３の扉ロック手段１５によって施錠状態に成っており、かつ荷物を収容していないロッカー装置１３は、不正な利用を防止するため、当該ロッカー装置１３の扉ロック手段１５によって施錠状態に成っているものとして説明する。
【００４４】
利用者は、先ず、ロッカー装置１３を使用する旨を操作表示手段４２によって入力する。その旨が操作表示手段４２を介して主制御手段４７に与えられた場合、主制御手段４７は、荷物が収容されていないロッカー装置１３を報告させるため、荷物検知指令を各端末装置３０の端末制御手段３２にそれぞれ送信する。
【００４５】
その荷物検知指令が与えられた端末制御手段３２は、荷物検知手段２３によって各ロッカー装置１３の荷物収容空間１３ｓに荷物が収容されているか否かを検知し、その検知報告と各ロッカー装置１３のＩＤ情報とを関連付けて管理装置４０に送信する。
【００４６】
それを受信した管理装置４０は、荷物を収容していないロッカー装置、換言すれば利用可能なロッカー装置１３を操作表示手段４２に表示する。
【００４７】
利用者は、利用可能なロッカー装置１３の中から選択した１つのロッカー装置１３を、操作表示手段４２によって入力する。操作表示手段４２を介して１つのロッカー装置１３を選択する旨の命令が与えられた主制御手段４７は、当該ロッカー装置１３の扉ロック手段１５を施錠状態から解錠状態に成す旨の解錠指令（状態変位指令）を、当該ロッカー装置１３を備える端末装置３０に送信する。
【００４８】
解錠指令が与えられた端末装置３０は、端末制御手段３２によって当該ロッカー装置１３の扉ロック手段１５を施錠状態から解錠状態に成す。また、端末装置３０は、当該ロッカー装置１３のロック検知手段２０によって解錠状態を検知した場合には、解錠状態に成っている旨を当該ロッカー装置１３の表示手段２２で表示する。
【００４９】
利用者は、当該ロッカー装置１３において、扉部１２の開操作を行い、荷物収容空間１３ｓに荷物を載置してから扉部１２の閉操作を行う。その後、例えば自身が所有する携帯電話を使用して管理装置４０に電話をかけ、自身の携帯電話の番号を暗証番号として管理装置４０に入力する。その入力によって選択したロッカー装置１３の扉ロック手段１５を施錠状態にする旨の命令が主制御手段４７に与えられる。主制御手段４７は、その命令に応じて当該ロッカー装置１３の扉ロック手段１５を解錠状態から施錠状態に成す旨の施錠指令（状態変位指令）を、当該ロッカー装置１３を備える端末装置３０に送信する。また、主制御手段４７は、その暗証番号と当該ロッカー装置１３のＩＤ情報とを関連付けて主記憶手段４６に格納する。
【００５０】
施錠指令が与えられた端末装置３０は、端末制御手段３２によって当該ロッカー装置１３の扉ロック手段１５を解錠状態から施錠状態に成す。
【００５１】
その後、荷物を回収する場合、利用者は、自身が所有する携帯電話を使用して管理装置４０に電話をかけ、自身の携帯電話の電話番号を暗証番号として管理装置４０に入力する。暗証番号の入力によってロッカー装置１３の扉ロック手段１５を解錠状態にする旨の命令が主制御手段４７に与えられる。主制御手段４７は、その命令に応じて主記憶手段４６から上記暗証番号に関連付けられているＩＤ情報を読み出し、読み出したＩＤ番号に対応するロッカー装置１３を有する端末装置３０に、当該ロッカー装置１３の扉ロック手段を施錠状態から解錠状態に成す旨の解錠指令を送信する。
【００５２】
解錠指令が与えられた端末装置３０は、端末制御手段３２によって当該ロッカー装置１３の扉ロック手段１５を施錠状態から解錠状態に成す。また、解錠指令が与えられた端末装置３０の端末制御手段３２は、当該ロッカー装置１３のロック検知手段２０で解錠状態を検知した場合には、解錠状態に成っている旨を当該ロッカー装置１３の表示手段２２で表示する。
【００５３】
利用者は、当該ロッカー装置１３において、扉部１２の開操作を行い、荷物収容空間１３ｓに載置してある荷物を取り出してから扉部１２の閉操作を行う。
【００５４】
端末制御手段３２は、開閉検知手段２１によって扉部１２の開成移動および閉成移動を検知した場合、その検知報告を管理装置４０に送信し、かつ荷物検知手段２３によって荷物を収容していない旨を検知した場合、その検知報告を管理装置４０に送信する。それらの検知報告を受信した管理装置４０は、そのＩＤ情報に対応するロッカー装置１３を備える端末装置３０に、当該ロッカー装置１３を解錠状態から施錠状態に成す旨の施錠指令を送信する。その施錠指令を受信した端末装置は、ＩＤ情報に対応するロッカー装置１３の扉ロック手段１５を解錠状態から施錠状態に成す。
【００５５】
このように、管理装置４０の主制御手段４７から端末装置３０の端末制御手段３２に各種命令が送信され、かつ端末装置３０の端末制御手段３２から管理装置４０の主制御手段４７に各種報告が送信されている。
【００５６】
このロッカーシステムにおいて、例えば図１中、最も右側に配置したロッカーユニット１０を既設のものから新しいロッカーユニット１０に交換した際のバージョン管理処理を具体例として説明する。
【００５７】
図１中、最も右側に配置したロッカーユニット１０を既設のものから新しいロッカーユニット１０に交換した後、例えば最初にロッカーシステムを起動した場合、主制御手段４７のバージョン管理部５０は、通信インターフェース３１，４５を介して端末制御手段３２にプログラムのバージョンを送信する旨のバージョン送信指令を送信する（Ｓ１０１）。その後、主制御手段４７のバージョン管理部５０は、各端末制御手段３２からプログラムのバージョン報告がそれぞれ送信されるのを待機する（Ｓ１０２）。
【００５８】
バージョン送信指令が与えられた端末制御手段３２は、自身の端末記憶手段３３に格納してあるプログラムのバージョンを読み出し、通信インターフェース３１，４５を介して主制御手段４７のバージョン管理部５０にプログラムのバージョン報告を送信する。
【００５９】
端末制御手段３２からプログラムのバージョン報告が送信された場合（Ｓ１０２；Ｙｅｓ）、主制御手段４７のバージョン管理部５０は、主記憶手段４６に格納してあるプログラムのバージョンを読み出し、管理装置４０のプログラムのバージョンと、報告された端末装置３０のプログラムのバージョンとが異なるか否かを判断する（Ｓ１０３）。
【００６０】
管理装置４０のプログラムのバージョンと、端末装置３０のプログラムのバージョンとが一致した場合（Ｓ１０３；Ｙｅｓ）、バージョン管理部５０は、バージョン管理処理を終了する。一方、管理装置４０のプログラムのバージョンと、端末装置３０のプログラムのバージョンとが異なる場合（Ｓ１０３；Ｎｏ）、管理装置４０の主制御手段４７は、端末装置３０を動作させるためのプログラムであって自身のバージョンと同一のものを端末装置３０に送信し、端末装置３０が有する端末記憶手段３３のプログラムの書き換えを行い（Ｓ１０４）、バージョン管理処理を終了する。
【００６１】
上記具体例では、管理装置４０のプログラムのバージョンと、既設のロッカーユニット１０の端末装置３０のプログラムのバージョンとが同一であるので、これらの間では、何らの処理も行われない。一方、管理装置４０のプログラムのバージョンと、新しいロッカーユニット１０の端末装置３０のプログラムのバージョンとが異なるので、バージョン管理部５０は、この新たなロッカーユニット１０の端末装置３０を動作させるためのプログラムのみを書き換え、バージョン管理処理を終了する。
【００６２】
このロッカーシステムによれば、バージョン管理部５０によってバージョン管理処理を行うため、管理装置４０が端末装置３０を制御できない事態を招くことがない。加えて、ロッカーシステムの起動時にバージョン管理処理を行うため、ロッカーユニット１０を既設のものから新しいものに交換した場合、およびロッカーユニット１０を増設した場合等、ロッカーシステムの設置場所において、作業者が管理装置４０に格納してあるプログラムのバージョンを確認する必要もなく、端末装置３０に格納してあるプログラムのバージョンを確認する必要もない。
【００６３】
なお、上述した例には、管理装置４０のプログラムのバージョンと、ロッカーユニット１０の端末装置３０のプログラムのバージョンとが異なる場合、端末装置３０が状態変位指令を受け付けないものを示したが両者のバージョンが異なる場合、管理装置４０から送信される各種指令を端末装置３０が受け付けない可能性がある。しかしながら、本発明によれば、上記事態を招くことがない。
【００６４】
また、上述した実施の形態には、プログラムの書き換えを行った後、バージョン管理処理を終了するもので説明した。しかし、この発明はそれに限られず、プログラムの書き換えを行った後、管理装置４０のプログラムのバージョンと、端末装置３０のプログラムのバージョンとが同一となったか否かを確認するため、Ｓ１０１に戻り、同様の処理を行っても良い。
【００６５】
さらに、上述した実施の形態には、複数のロッカー装置１３を備えるロッカーユニット１０で説明した。しかし、この発明はそれに限られず、１つのロッカー装置１３を備えるロッカーユニット１０でも、同様の作用・効果を奏する。
【図面の簡単な説明】
【００６６】
【図１】この発明に係るロッカーシステムの正面図である。
【図２】図１に示したロッカーシステムの構成を示す説明図である。
【図３】図１に示したロッカーシステムが備えるロッカー装置を示す斜視図である。
【図４】図３に示したロッカー装置において、そのロッカー装置が備える各手段を示す説明図である。
【図５】図１に示したロッカーシステムが備えるバージョン情報管理部が行うバージョン管理処理を説明するフローチャートである。
【符号の説明】
【００６７】
１０      ロッカーユニット
１１      キャビネット部
１２      扉部
１３      ロッカー装置
１３ｓ    荷物収容空間（収容部）
１５      扉ロック手段
３２      端末制御手段
３３      端末記憶手段
４０      管理装置
４２      操作表示手段（入力手段）
４６      主記憶手段
４７      主制御手段
５０      バージョン情報管理部
【図１】
2008134693.tif 000003
【図２】
2008134693.tif 000004
【図３】
2008134693.tif 000005
【図４】
2008134693.tif 000006
【図５】
2008134693.tif 000007